(57)【要約】【課題】詰め替え作業を簡便にし、詰め替え作業時に内容物をこぼし難く、本容器内の内容物が残留している場合であっても詰め替え作業を可能にし、かつ詰め替え作業をスムーズに行うことが可能な詰め替え容器を提供する。【解決手段】注出筒３先端の注出口３ａを閉塞するとともに、注出口３ａの開口周縁部に破断可能な弱化部３０を介して連結される閉塞板４と、閉塞板４に一端部が連結されるとともに、他端部が注出筒３の径方向外側に配置される操作突片５と、を備え、操作突片５の他端部には、容器軸Ｏ方向に沿って容器本体２の外方に向けて開放し、注入口部Ａ１に注出筒３を対向させたときに、注入口部Ａ１の開口端縁に係止するフック部２１と、注出筒３の周壁に形成された破断可能な薄肉部３２に接続される接続部３３と、が設けられる。【選択図】図４
2014198582.tif 000002
【特許請求の範囲】
【請求項１】
本容器に詰め替える内容物が収容された容器本体と、前記容器本体の口部に装着される注出口部材と、を備え、
前記注出口部材が、容器軸方向に沿って前記容器本体の外方に向けて延びるとともに、先端部に注出口が形成され、かつ前記本容器の注入口部内に差し込み可能な注出筒と、前記注出口を閉塞するとともに、前記注出口の開口周縁部に破断可能な弱化部を介して連結される閉塞板と、前記閉塞板に一端部が連結されるとともに、他端部が前記注出筒の径方向外側に配置される操作突片と、を備え、
前記注出筒の周壁には、破断可能な薄肉部が設けられ、
前記操作突片の他端部には、前記容器軸方向に沿って前記容器本体の外方に向けて開放し、前記注入口部に前記注出筒を対向させたときに、前記本容器の注入口部の開口端縁に係止するフック部と、前記薄肉部に接続される接続部と、が設けられることを特徴とする詰め替え容器。
【請求項２】
前記操作突片の他端部には、前記薄肉部を避けて前記周壁に接続される第二接続部が設けられることを特徴とする請求項１に記載の詰め替え容器。
【請求項３】
前記第二接続部が、前記注出筒を前記注入口部に挿入したとき、前記周壁から分離するとともに、前記本容器の注入口部の内周面により前記周壁の外周面に向けて押し付けられることを特徴とする請求項２に記載の詰め替え容器。
【発明の詳細な説明】
【技術分野】
【０００１】
本発明は、詰め替え容器に関するものである。
【背景技術】
【０００２】
この種の詰め替え容器として、従来、例えば下記特許文献１に記載されているような、本容器に詰め替える内容物が収容される容器本体と、容器本体の口部に装着され、該口部を閉塞する中栓と、を備え、中栓を本容器の口部に螺着させた状態で詰め替えを行う詰め替え容器が知られている。この中栓には、内容物を注出するための注出口が形成されているとともに、該注出口を閉塞するシール部が設けられている。シール部は、例えばプルトップが付設された蓋体からなる。
【０００３】
上記した詰め替え容器では、まずプルトップを引き上げて中栓の注出口を開封する。続いて、詰め替え容器を正立姿勢（口部が上向きの姿勢）に配置し、該詰め替え容器の中栓に、倒立姿勢（口部が下向きの姿勢）とされた本容器の口部を螺着する。そしてこの状態から、詰め替え容器と本容器とを上下反転させて、本容器を正立姿勢にするとともに詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器とを上下反転させる必要があるので、詰め替え作業が煩雑となっていた。
また、中栓の注出口を開封した後に、該中栓に対して本容器の口部を螺着するため、その螺合作業中に誤って詰め替え容器を倒すと、詰め替え容器内の内容物がこぼれ出るおそれがあった。
さらに、中栓に本容器の口部を螺着する際には、該本容器を倒立姿勢にするため、本容器内に内容物が残留していると、該内容物がこぼれるおそれがある。従って、本容器内の内容物を使い切った後でないと、詰め替え作業を行い難かった。
【０００６】
本発明は、このような事情に鑑みてなされたもので、その目的は、詰め替え作業を簡便にし、詰め替え作業時に内容物をこぼし難く、本容器内の内容物が残留している場合であっても詰め替え作業を可能にし、かつ詰め替え作業をスムーズに行うことが可能な詰め替え容器を提供することである。
【課題を解決するための手段】
【０００７】
上記課題の解決手段として、本発明に係る詰め替え容器は、本容器に詰め替える内容物が収容された容器本体と、前記容器本体の口部に装着される注出口部材と、を備え、前記注出口部材が、容器軸方向に沿って前記容器本体の外方に向けて延びるとともに、先端部に注出口が形成され、かつ前記本容器の注入口部内に差し込み可能な注出筒と、前記注出口を閉塞するとともに、前記注出口の開口周縁部に破断可能な弱化部を介して連結される閉塞板と、前記閉塞板に一端部が連結されるとともに、他端部が前記注出筒の径方向外側に配置される操作突片と、を備え、前記注出筒の周壁には、破断可能な薄肉部が設けられ、前記操作突片の他端部には、前記容器軸方向に沿って前記容器本体の外方に向けて開放し、前記注入口部に前記注出筒を対向させたときに、前記本容器の注入口部の開口端縁に係止するフック部と、前記薄肉部に接続される接続部と、が設けられることを特徴とする。
【０００８】
この構成によれば、注入口部に注出筒を対向させた状態で、フック部を注入口部の開口端縁に係止させた後、容器本体と本容器とを容器軸方向に沿って相対的に接近移動させることで、注出筒を注入口部内に差し込みつつ操作突片で閉塞板を引っ張り、弱化部を破断させて注出口を開封することができる。その結果、注出口を通じて容器本体内の内容物を本容器内へ注出することができ、詰め替え容器から本容器内へ内容物の詰め替えを行うことができる。
【０００９】
特に、注入口部にフック部を係止させて、詰め替え容器と本容器とを容器軸方向に沿って相対的に接近移動させるという簡便な作業によって、内容物の詰め替え作業を容易に行うことができる。
また、容器本体と本容器とを容器軸方向に沿って相対的に接近移動させるまで、注出口は閉塞板によって閉塞されているので、詰め替え前の段階で容器本体内の内容物がこぼれることもない。
さらに、本容器を倒立姿勢にすることなく、未開封の詰め替え容器を倒立姿勢にして詰め替え作業を行うので、例えば本容器内の内容物が残留している場合であっても、この内容物をこぼすことなく詰め替え作業を行うことができる。
【００１０】
そして、注出筒の周壁に破断可能な薄肉部を形成し、この薄肉部に接続される接続部を操作突片の他端部にフック部とともに設けることで、フック部を注入口部に係止させて操作突片を引っ張る閉塞板の開封動作によって、薄肉部を破断して空気置換孔を形成することができる。
これにより、注出口から内容物を注出しながらも、空気置換孔から容器本体内に空気を導入しやすくし、内容物の注出がスムーズにすることができる。空気置換孔は、閉塞板の開封前は開口しないので、詰め替え容器の運搬時等に内容物がこぼれ出ることはなく、かつ詰め替え容器の開封と同時に空気置換孔を開口させることができる。
このように、簡単な操作で内容物の詰め替え作業をスムーズにし、かつ注出筒内に内容物が滞留することも抑え、最後まで簡単に詰め替え作業を行うことができる。
【００１１】
本発明に係る詰め替え容器は、前記操作突片の他端部に、前記薄肉部を避けて前記周壁に接続される第二接続部が設けられる構成であってもよい。
この構成によれば、操作突片のフック部に意図しない外力が加わっても、この外力を注出筒の周壁における薄肉部を避けた部位で支持することができ、運搬時等の薄肉部の破断や閉塞板の開封を防止することができる。
【００１２】
また、本発明に係る詰め替え容器は、前記第二接続部が、前記注出筒を前記注入口部に挿入したとき、前記周壁から分離するとともに、前記本容器の注入口部の内周面により前記周壁の外周面に向けて押し付けられる構成であってもよい。
この構成によれば、注出筒の周壁が注入口部の内周に押し付けられ、注出筒のガタツキを防止するとともに径方向位置を規定し、詰め替え作業を安定して行うことができる。
【発明の効果】
【００１３】
本発明によれば、詰め替え作業を簡便にし、詰め替え作業時に内容物をこぼし難くし、本容器内の内容物が残留している場合であっても詰め替え作業を可能にし、かつ詰め替え作業をスムーズに行うことができる。
【図面の簡単な説明】
【００１４】
【図１】本発明の実施形態における詰め替え容器の正立状態の縦断面図である。
【図２】図１のＩＩ−ＩＩ断面図である。
【図３】図１のＩＩＩ−ＩＩＩ断面図である。
【図４】上記詰め替え容器を倒立状態にして本容器に組み合わせた状態の縦断面図である。
【図５】図４に示す状態から詰め替え容器と本容器とを容器軸方向に相対的に接近移動させた状態の縦断面図である。
【図６】図５のＶＩ矢視図である。
【発明を実施するための形態】
【００１５】
以下、本発明の実施形態について図面を参照して説明する。
（詰め替え容器の構成）
図１に示すように、本実施形態の詰め替え容器１は、本容器Ａ（図４、図５参照）に詰め替える図示しない内容物が収容された有底筒状の容器本体２と、容器本体２の口部２ａに装着される注出口部材９と、を備える。注出口部材９が形成する注出筒３は、本容器Ａにおける円筒状の注入口部Ａ１の内径よりも小径に形成され、注入口部Ａ１内に差し込み可能である。この注出筒３を注入口部Ａ１内に差し込んだ状態で、詰め替え容器から本容器Ａへ内容物の詰め替えがなされる。
【００１６】
なお、容器本体２及び注出筒３は、それぞれの中心軸線が共通軸上に位置するように配置される。本実施形態では、前記共通軸を容器軸Ｏといい、この容器軸Ｏに沿う方向を容器軸Ｏ方向とする。また、容器軸Ｏ方向の注出筒３側を上側、容器本体２側を下側とし、容器軸Ｏに直交する方向を径方向、容器軸Ｏ回りに周回する方向を周方向とする。
【００１７】
また、容器軸Ｏ方向の注出筒３側を上側、容器本体２側を下側とした姿勢を、詰め替え容器１の正立姿勢とし（図１参照）、容器軸Ｏ方向の注出筒３側を下側、容器本体２側を上側とした姿勢を、詰め替え容器１の倒立姿勢とする（図４〜図６参照）。以下、詰め替え容器１の正立姿勢の構成を説明する。
【００１８】
注出口部材９は、容器軸Ｏ方向に沿って容器本体２の外方（上方）に向かって延びるとともに、先端部（上端部）に注出口３ａが形成された注出筒３と、注出筒３の基端部（下端部）に一体に連設された装着筒１０と、注出口３ａを閉塞するとともに、注出口３ａの開口周縁部に破断容易な弱化部３０を介して連結される閉塞板４と、閉塞板４に一端部が連結されるとともに、他端部が注出筒３の径方向外側に配置される操作突片５と、を備える。
【００１９】
図２、図３を併せて参照し、注出筒３は、断面半月形状をなして容器軸Ｏ方向に沿って延びる。すなわち、注出筒３の周方向の一側部は、周方向に沿って湾曲する湾曲壁部４１とされ、注出筒３の周方向の他側部は、径方向に直交する平坦壁部４２とされる。湾曲壁部４１は、注出筒３の半周以上にわたって設けられる。
【００２０】
図１を参照し、湾曲壁部４１の上端部には、その周方向の少なくとも一部を注出口３ａよりも上方まで延ばす延長突部４３が設けられる。湾曲壁部４１の下端部外周には、装着筒１０のフランジ部１３の上面１３ａに対して上方に変位した変位上面４４ａを形成するリブ４４が設けられる。リブ４４は、周方向に略直交する板状をなし、径方向で平坦壁部４２と反対側となる位置に設けられるとともに、この端部から周方向両側に９０度ずれた位置にも設けられる。平坦壁部４２の下端部外側には、リブ４４と同等の上下範囲で平坦壁部４２の径方向厚さを段差状に増加させる挿入固定部４５が設けられる。
【００２１】
注出筒３ひいては注出口部材９は、注出筒３下方の装着筒１０によって、容器本体２の口部２ａに装着される。装着筒１０は、注出筒３の下端部から径方向外側へ延びる環状のフランジ部１３と、フランジ部１３の外周端縁から下方に延びて容器本体２の口部２ａに例えば螺着により嵌合する筒部１１と、を有する。
【００２２】
装着筒１０を口部２ａに取り付けたとき、フランジ部１３の下面には口部２ａの開口端縁が下方から突き当たり、容器本体２と注出口部材９との容器軸Ｏ方向の相対位置を規定する。フランジ部１３の下面には、容器本体２の口部２ａの開口端縁の内周に液密に接するシール筒１４が垂下される。
なお、本実施形態では、装着筒１０を口部２ａに螺着により取り付けるが、これに限らず、例えばアンダーカット嵌合等により取り付けてもよい。
【００２３】
注出筒３の延長突部４３を除いた上端面は、容器軸Ｏに対して直交するように形成され、この上端面に沿うように、注出筒３の横断面形状と同様の形状の注出口３ａが開口する。
閉塞板４は、注出口３ａの形状に倣って形成される。閉塞板４の外縁部は、注出口３ａの内縁部に破断容易な弱化部３０を介して連結される。閉塞板４は、注出筒３の周壁よりも薄肉に形成され、注出筒３よりも容易に変形（例えば弾性変形）可能である。弱化部３０は、閉塞板４の外縁部の少なくとも一部（本実施形態では、平坦壁部４２側の少なくとも一部）で途切れ、この途切れた部位（以下、切り残し部３１という。）では、閉塞板４が注出筒３に直接連結される。
【００２４】
図２を併せて参照し、操作突片５は、閉塞板４の上面における平坦壁部４２と略直交する径方向で、平坦壁部４２と反対側となる端部に一端部を接続する。操作突片５の一端部には、閉塞板４の上面から延長突部４３よりも低い高さで上方に起立する起立部６が設けられる。起立部６の上端は操作突片５の最上位置にあり、この起立部６の上端位置よりも高く延長突部４３が起立することで、操作突片５の特に起立部６に対する上方からの外力が加わることを規制する。
【００２５】
起立部６の上端部からは、平坦壁部４２と略直交する径方向で容器軸Ｏを超えて平坦壁部４２側に延びつつ下方に向けて湾曲する突片本体７が延出する。突片本体７の先端部７ａは、その径方向厚さを増加させつつ平坦壁部４２の上端部４６の径方向外側に至る。突片本体７の先端部７ａの下方には、径方向厚さを均一にして容器軸Ｏに沿って下方に延びる下方延出部２１ａが連設される。下方延出部２１ａは、その下端部から径方向外側に延びる底壁部２１ｂ、及び底壁部２１ｂの外側端部から容器軸Ｏに沿って上方に延びる外壁部２１ｃとともに、注出口３ａ側に向けて開放するフック部２１を形成する。
【００２６】
突片本体７の先端部７ａ及び下方延出部２１ａの径方向内側には、平坦壁部４２の外側面と略平行な内側面２２が連続して形成される。内側面２２は、容器軸Ｏと直交する横断面で平坦壁部４２側に凸のＶ字形状に形成される（図２参照）。下方延出部２１ａの径方向外側には、内側面２２と略平行かつ内側面２２よりも容器軸Ｏ方向で短い外側面２３が形成される。外壁部２１ｃの径方向内側には、外側面２３と径方向で対向する外壁内側面２４が形成される。
【００２７】
フック部２１は、注入口部Ａ１に注出筒３の先端部を挿入した状態（換言すれば、注入口部Ａ１に注出筒３を対向させた状態、図４参照）で、注入口部Ａ１の開口端側に係止する。このとき、フック部２１は、外側面２３及び外壁内側面２４の間に、注入口部Ａ１の開口端側を締め代をもって挟み込む。これにより、注出筒３の注入口部Ａ１からの離脱が抑えられる。フック部２１は、底壁部２１ｂ上の上面２５に注入口部Ａ１の開口端縁を突き当てることで、注出筒３の注入口部Ａ１への挿入量を規定する。
【００２８】
突片本体７の先端部７ａ及び下方延出部２１ａの少なくとも一方（本実施形態では先端部７ａ）には、内側面２２から径方向内側に突出し、平坦壁部４２の上端部４６に形成された破断容易な薄肉部３２に接続される接続部３３が設けられる。
【００２９】
ここで、平坦壁部４２の上端部４６の径方向外側には、この上端部４６の外側面４６ａをその下方の壁本体４８の外側面４８ａに対して径方向内側に変位させる肉抜き部４７が設けられ、上端部４６の径方向厚さを壁本体４８の径方向厚さよりも減少させる。上端部４６の外側面４６ａの下端と壁本体４８の外側面４８ａの上端との間には緩傾斜面４６ｂが設けられる。
【００３０】
平坦壁部４２の径方向内側には、その周方向幅の中央で容器軸Ｏに沿って延びる溝４９が形成される。溝４９は、平坦壁部４２の上端近傍から下端に渡って形成される。溝４９の上端は、平坦壁部４２の上端部４６の外側面４６ａの下端よりも上方に位置する。これら溝４９の上端と外側面４６ａの下端との間で溝４９の周方向幅にわたる範囲が、前記薄肉部３２とされる。薄肉部３２の内側面は溝４９の底面４９ａで形成され、薄肉部３２の外側面は上端部４６の外側面４６ａで形成される。薄肉部３２の内側を注出筒３の下端で開放する溝４９で形成することで、注出筒３の型抜きが容易になる。溝４９は注出筒３の上端には開放せず、注出口３ａ周縁の剛性が確保される。
【００３１】
薄肉部３２の外側面には、接続部３３の先端が固着される。接続部３３は、注出筒３に対してフック部２１を相対移動させた際に、薄肉部３２を破断、除去可能であり、これにより、平坦壁部４２の上端部４６における薄肉部３２が形成されていた部位に空気置換孔３２ａを形成可能である（図５、図６参照）。
【００３２】
図１、図３を参照し、下方延出部２１ａの下部には、内側面２２から径方向内側に突出し、平坦壁部４２の壁本体４８の外側面４８ａに接続される第二接続部３４が設けられる。第二接続部３４の先端は、壁本体４８の外側面４８ａに固着される。これにより、フック部２１に径方向外側から加えられた外力が壁本体４８に支持されるとともに、注出筒３に対するフック部２１の意図せぬ相対移動が規制される。
【００３３】
一方、第二接続部３４は、内容物の詰め替え時に注出筒３を注入口部Ａ１に挿入し、注出筒３に対してフック部２１を意図的に相対移動させた際には、平坦壁部４２から分離可能である（図５参照）。壁本体４８は、薄肉部３２に比べて十分な厚さを有することから、第二接続部３４が分離する際に孔等を形成することはない。分離後の第二接続部３４は、注出筒３を注入口部Ａ１に挿入しきった際には、平坦壁部４２の下端部外側の挿入固定部４５の外側面を押圧可能である。
【００３４】
（詰め替え容器の使用）
次に、詰め替え容器１から本容器Ａに内容物を詰め替える際の手順について説明する。
まず、図４に示すように、未開封の詰め替え容器１を上下反転して倒立姿勢とし、この詰め替え容器１の注出筒３の先端部（図４では下端部）を、同図に示す正立姿勢の本容器Ａの注入口部Ａ１に上方から挿入する。このとき、注出筒３の延長突部４３がガイドとなり、注出筒３を注入口部Ａ１に挿入し易い。
【００３５】
注出筒３の先端部を注入口部Ａ１に挿入し、操作突片５のフック部２１を注入口部Ａ１の開口端側に係止させることで、詰め替え容器１と本容器Ａとが組み合わされる。フック部２１の上面２５（図４では下面）には注入口部Ａ１の開口端縁が突き当たり、注出筒３の注入口部Ａ１への挿入量が規定される。フック部２１は注入口部Ａ１の開口端側を締め代をもって保持し、注出筒３の注入口部Ａ１からの離脱を抑える。注出筒３の湾曲壁部４１は注入口部Ａ１の内周面に沿うように配置され、口部２ａに対する注出筒３の倒れを抑える。
【００３６】
上記した状態から、詰め替え容器１と本容器Ａとを容器軸Ｏ方向で相対的に接近移動させると、注出筒３が注入口部Ａ１内にさらに挿入される一方、フック部２１は注入口部Ａ１に係止したまま前記接近移動をしないことから、フック部２１ひいては操作突片５が注出筒３に対して注出筒３の基端側（図４では上端側）に相対的に引かれる。
すると、接続部３３の移動により薄肉部３２が破断、除去され、平坦壁部４２の上端部４６における薄肉部３２が形成されていた部位に空気置換孔３２ａが形成される（図５参照）。また、第二接続部３４は平坦壁部４２から分離される。
【００３７】
前述の如く操作突片５が引かれると、その起立部６が平坦壁部４２側に倒れるように引かれ、この起立部６が接続された閉塞板４における平坦壁部４２とは反対側の端部を捲り上げる。これにより、閉塞板４における平坦壁部４２とは反対側の端部周辺から弱化部３０が破断を開始する。
【００３８】
そして、図５に示すように、装着筒１０のフランジ部１３の上面１３ａ及び各リブ４４の変位上面４４ａ（図５では何れも下面）が注入口部Ａ１の開口端縁に当接するまで、注出筒３を注入口部Ａ１に挿入しきった時点で、閉塞板４が注出口３ａの内縁部に平坦壁部４２側の切り残し部３１のみでつながった状態で、平坦壁部４２外側へ折り返すように捲り上げられる。これにより、注出口３ａが全開となり、詰め替え容器１内の内容物が注出口３ａから本容器Ａ内へ注出され、本容器Ａ内への内容物の詰め替えがなされる。このとき、フランジ部１３ひいては詰め替え容器１が、フック部２１の底壁部２１ｂ及び三つのリブ４４により、注入口部Ａ１の開口端縁に周方向で略９０度の等間隔で支持され、倒立姿勢の詰め替え容器１を安定させる。
【００３９】
注出筒３を注入口部Ａ１に挿入しきった時点で、平坦壁部４２から分離した第二接続部３４は、平坦壁部４２下端の挿入固定部４５を押圧する。これにより、湾曲壁部４１の外周面が注入口部Ａ１の内周面に押し付けられ、注出筒３のガタツキを防止するとともに径方向位置を規定する。このとき、接続部３３が平坦壁部４２を押圧し、この接続部３３によっても第二接続部３４と同様の効果を得るようにしてもよい。
【００４０】
本実施形態によれば、注入口部Ａ１にフック部２１を係止させて、詰め替え容器１と本容器Ａとを容器軸Ｏ方向に沿って相対的に接近移動させるという簡便な作業によって、内容物の詰め替え作業を容易に行うことができる。
また、容器本体２と本容器Ａとを容器軸Ｏ方向に沿って相対的に接近移動させるまで、注出口３ａは閉塞板４によって閉塞されているので、詰め替え前の段階で容器本体２内の内容物がこぼれることもない。
さらに、本容器Ａを倒立姿勢にすることなく、未開封の詰め替え容器１を倒立姿勢にして詰め替え作業を行うので、例えば本容器Ａ内の内容物が残留している場合であっても、この内容物をこぼすことなく詰め替え作業を行うことができる。
【００４１】
そして、注出筒３の周壁に破断可能な薄肉部３２を形成し、この薄肉部３２に接続される接続部３３を操作突片５の他端部にフック部２１とともに設けることで、フック部２１を注入口部Ａ１に係止させて操作突片５を引っ張る閉塞板４の開封動作によって、薄肉部３２を破断して空気置換孔３２ａを形成することができる。
これにより、注出口３ａから内容物を注出しながらも、空気置換孔３２ａから容器本体２内に空気を導入しやすくし、内容物の注出がスムーズにすることができる。空気置換孔３２ａは、閉塞板４の開封前は開口しないので、詰め替え容器１の運搬時等に内容物がこぼれ出ることはなく、かつ詰め替え容器１の開封と同時に空気置換孔３２ａを開口させることができる。
このように、簡単な操作で内容物の詰め替え作業をスムーズにし、かつ注出筒３内に内容物が滞留することも抑え、最後まで簡単に詰め替え作業を行うことができる。
【００４２】
また、フック部２１近傍において、薄肉部３２を避けて注出筒３の周壁に接続される第二接続部３４を設けることで、フック部２１に意図しない外力が加わっても、この外力を注出筒３の周壁における薄肉部３２を避けた部位で支持することができ、運搬時等の薄肉部３２の破断や閉塞板４の開封を防止することができる。
第二接続部３４は、注出筒３を注入口部Ａ１に挿入しきったとき、注出筒３の周壁から分離するとともにこの周壁を径方向で押圧することで、注出筒３の周壁が注入口部Ａ１の内周に押し付けられ、注出筒３のガタツキを防止するとともに径方向位置を規定し、詰め替え作業を安定して行うことができる。
【００４３】
なお、本発明の技術範囲は、上記実施形態に限定されるものではなく、本発明の趣旨を逸脱しない範囲において、種々の変更を加えることが可能である。
例えば、注出筒３の上端面（注出口３ａの開口面）を湾曲状、階段状及び波形状に形成してもよい。フック部２１が、注入口部Ａ１に注出筒３の先端部を挿入せずとも、注入口部Ａ１に注出筒３を対向させた状態で注入口部Ａ１に係止してもよい。
切り残し部３１があれば閉塞板等の本容器内への脱落が確実に防止されるが、切り残し部をなくして閉塞板の全周を破断してもよい。
【符号の説明】
【００４４】
１  詰め替え容器
Ｏ  容器軸
２  容器本体
２ａ  口部
３  注出筒
３ａ  注出口
４  閉塞板
５  操作突片
９  注出口部材
２１  フック部
３０  弱化部
３２  薄肉部
３３  接続部
３４  第二接続部
Ａ  本容器
Ａ１  注入口部
【図１】
2014198582.tif 000003
【図２】
2014198582.tif 000004
【図３】
2014198582.tif 000005
【図４】
2014198582.tif 000006
【図５】
2014198582.tif 000007
【図６】
2014198582.tif 000008